(57)【要約】      （修正有）【課題】荷物が増えた時、バックとキャリーを用いてキャリーバックに組み立てられて荷物を運べる携帯キャリー付専用買物バックを提供する。【解決手段】伸縮折畳み携帯キャリーと、専用買い物バックと、バックに取り付けた上部支持帯２１、側面バー挿入袋、主柱支持帯２３、底袋、キャリー入口カバー２４、及び、底部支持帯とからなる。【選択図】図８
0003153843.tif 000002
【実用新案登録請求の範囲】
【請求項１】
伸縮する３段継ぎの主柱一対と、
前記主柱最上端部間に接続された中央部で、谷折れする継手を有する持手部と、
前記主柱１段目下部間に接続された中央部で、山折れする継手を有する上部支持バーと、
前記上部支持バーの主柱下部に取り付けた主柱前面に添って倒れ、直角にて止まる継手を有する側部支持バーが一対と、
前記主柱３段目下部間に接続された中央部で、山折れする継手を有する下部支持バーと、
前記下部支持バーの主柱下部に取り付けた主柱前面に添って倒れ、直角にて止まる継手を有する支持バーの先端より、他方に接続する中央部で、山折れする継手を有する支持バーで構成された底部受台と、
前記底部受台の主柱下部に取り付けた主柱に対し、直角に回転する継手を有するスタンド補助足が一対と、
前記主柱最下端部に取り付けた一対のキャスターからなる伸縮折畳み携帯キャリーと、
前記キャリー用に取り付ける専用買物バックと、
前記バック上部の裏面に取り付けた上部支持帯と、
前記バック上部の側面の両側に取り付けた側面バー挿入袋と、
前記バック中間部の裏面の左右端側の上下４か所に取り付けた主柱支持帯と、
前記バック底部の下部にキャリー収納部用に取り付けた底袋と、
前記バック裏面底袋の裏面に取り付けたキャリー入口カバーと、
前記バック底袋の前面の底部に取り付けた底部支持帯とで構成された携帯キャリー専用買物バックである。
【請求項２】
請求項１に記載する伸縮折畳み出来る携帯キャリーと、
前記キャリーの側面支持バー両側と、底部受台の３方及び、主柱両側に支持された前面ネットと、
前記キャリー上部支持バーと、下部支持バー及び、主柱両側に支持された裏面ネットと、
前記キャリー使用時に、取り付けが出来る底部取付板とからなるネット付携帯キャリーである。
【考案の詳細な説明】
【技術分野】
【０００１】本考案は買い物時の荷物が多く、重くなった時、携帯キャリーに専用買物バックを装着して荷物の運搬を軽減する運搬具に関するものである。【０００２】又、携帯キャリーにネットの囲いを取り付け、使用時に底部取付板を装着し、汎用の買物袋や軟質の買物バックを運搬する運搬具に関するものである。
【背景技術】
【０００３】従来は買物袋を手に持って運ぶか、キャリーバックを引いて行き、これに荷物を入れて運ぶか、携帯用キャリーで運ぶかのいずれかであったが、携帯キャリーに専用買物バックが装着でき、キャリーバックとして使用できるものがなかった。【０００４】又、汎用の買物袋や軟質の買物バックをネットの囲いに入れて運搬する携帯キャリーがなかった。
【考案の開示】
【考案が解決しようとする課題】
【０００５】買い物外出時の空荷時は買物用キャリーを引いて行く事が手間であり、携帯キャリーが簡単に持ち運べるバックあり、荷物の増えた時、その携帯したキャリーとバックでキャリーバックを組み立て、楽に荷物を運べないかという問題点があった。この課題を解決しようとするものである。【０００６】又、上記の他、携帯キャリーで汎用の買物袋や軟質の買物バックを簡単に運べないかという問題点があった。この課題を解決しようとするものである。
【考案が解決するための手段】
【０００７】本考案は、上記目的を達成するもので、請求項１に記載したものは、外出時の空荷時には、図３の様に伸縮折畳み出来るキャリーを、図５の専用買物バックの携帯キャリー収納部１９に入れて持ち運びができ、荷物が多くなった時には、携帯キャリーを使用し、図８の様に専用買物バックを装着することによりキャリーバックが組み立てられ、課題が解決されるのである。
【０００８】請求項２に記載したものは、上記の携帯キャリーに図９の前面ネット２７が側部支持バー５、底部受台９及び、両主柱間に支持され、裏面ネット３１は携帯キャリーの上部支持バー４、下部支持バー８間及び、両主柱間に支持され取り付けられており使用時に底部取付板２９を取り付ける事により、図１０の様にネット内に汎用の買物袋や、軟質の買物バックを入れて運搬できる様になり課題が解決されるのである。
【考案の効果】
【０００９】買物に出かける時、本考案の携帯キャリー付専用買物バックを使用した場合、専用買物バックの上部を図５のＡ−Ｂラインでバックの内部に収納し、携帯キャリー収納部１９にキャリーを入れてコンパクトなバックとして持ち運びができる。又、買物の荷物が多くなたり、重くなたりしてキャリーバックとして使用したい場合は、バックの上部を内部から取り出し、携帯キャリー収納部１９よりキャリーを取り出して図８の様に携帯キャリーに専用買物バックを装着し荷物を運搬できる。
【０００１０】又、買物に出かける時、本考案のネット付携帯キャリーを携帯して行くと、荷物が増えた時、そのキャリーを使用し、底部受台９に、底部取付板２９を装着する事により、前面ネット２７及び、裏面ネット３１によりネットの囲いが形成され、汎用の買物袋や軟質の買物バックがキャリーから落ちることなく運搬できる。
【考案の実施するための最良の形態】
【実施例１】
【０００１１】図１〜図４の携帯キャリーは、１段目パイプ３の直径を１５ｍｍ程度とし、１段目に収納する２段目パイプ６、２段目に収納する３段目パイプ７のセットを主柱とし、全長を大人がキャリーを引いて歩く高さ約７５ｃｍ程度にする。又、携帯時に縮小した時の長さを約２７ｃｍ程度に出来るものとする。又、キャリーを引いて歩く時の、持手１は、主柱１段目パイプ間の最上部にパイプ（外径約１８ｍｍ）を用い、携帯時に折り曲げ出来る様、主柱側は直角で止まる継手又、主柱間（約３５ｃｍ）の中央部で、谷折れ出来る継手を用いて主柱相互を接続する。又、けん引時に中央部の継手部分が握りやすく、強度を補強するため継手カバー２を取り付ける。
又、専用バックの上部と下部をキャリーに固定するため、アルミバー（幅約１５ｍｍ）を使用し、主柱１段目パイプの下部に上部支持バー３、３段目パイプ下部に下部持バー８を設け、携帯時に折り曲げ出来る様、主柱側は直角で止まる継手又、主柱間（約３５ｃｍ）の中央部で山折れ出来る継手を用いて主柱相互を接続する。
又、上部支持バー３の下部の主柱に専用買物バックの側面が支持出来る様、携帯時は主柱前面に添って倒れ、使用時に直角まで起きる継手に接続された側部支持バー５（約１５ｃｍ）一対を取り付ける。
又、専用買物バック底部を支持するため、下部支持バー８の下部の主柱に携帯時は主柱前面に添って倒れ、使用時に直角まで起きる継手に接続されたバー（約１２ｃｍ）の先端より、携帯時に折り曲げ出来る様、主柱間（約３５ｃｍ）の中央部で山折れ出来る継手を用いて相互を接続するバーで構成される底部受台９を取り付ける。
又、その下部の主柱には、キャリーが直立できる様、主柱と直角に回転する継手をもち、使用する時には前面まで回転させ、底部受台９の裏面に取り付けたスタンド固定フック１２とで構成するスタンド補助足１０取り付ける。又、主柱３段目の最下端に取り付けたキャスター１１（直径約３ｃｍ）とで構成する図３の様に、伸縮折畳み出来る携帯キャリーである。【０００１２】図５〜図７の専用買物バックは、本体袋の大きさは、入口（幅約１５ｃｍ、横約３５ｃｍ）、底部（幅約１２ｃｍ、横約３５ｃｍ）、高さ（約４５ｃｍ）で、入口最上部には荷物のこぼれを防止するためや、雨天時の雨の侵入を防ぐための上部カバー１４を取り付ける。
又、裏面最上部に、バック上部がキャリーに固定できる様、上部支持帯２１を設け、キャリーの上部支持バー４をバック本体と上部支持帯２１に取り付けたマジックテープ（登録商標）で、挟み込み固定出来る作りとする。
又、バック側面最上部には、バックの上部入口を固定するため、側面バー挿入袋１２２を左右に設け、キャリーの側部支持バー５に挿入して固定出来る作りとする。
又、バックの横ずれを防ぐためバックの中央部の左右上下に４か所の主柱支持帯２３を設け、キャリーの主柱をバック本体と主柱支持帯２３に取り付けたマジックテープ（登録商標）で巻き込み固定出来る作りとする。
又、バック底下にさらに深さ４ｃｍ程度の携帯キャリーが収納できる携帯キャリー収納部１９を設け、裏面側にキャリーを出し入れする為、キャリー入口カバー２４を設ける。又、キャリー入口カバー２４は、バック下部がキャリーに固定できる様、バック本体とキャリー入口カバー２４に取り付けたマジックテープ（登録商標）でキャリーの下部支持バー８を挟み込み固定出来る為の帯を兼用する。
又、バックの浮きを防止するため、携帯キャリー収納部１９底の前面には底部支持帯２０を設け、キャリーの底部受台９の前面バーをバック底部と底部支持帯２０に取り付けたマジックテープ（登録商標）で挟み込み固定出来る作りとする。
又、バック持手１の１３は通常時に使用し、出かける時の空荷時は、バック上部を図５のＡ−Ｂラインでバック内側に折り込んでバックの高さを低くして持てる様、持手２を取り付ける。
又、小物等が収納できる様、前面に前面ポケット１６、両側面に側面ポケット１７を取り付けた携帯キャリー専用買物バックである。【０００１３】図９、１０のネット付携帯キャリーは、前面に前面ネット２７を取り付け、前面ネット２７は図９の様にコの字型（縦１５ｃｍ、横３５ｃｍ）の約５ｃｍ角のナイロンネットに縁帯を設けたもので、縁帯上部には、ネットの入口を支持する側面バー挿入袋２５を左右に設け、キャリーの側部支持バー５に挿入して固定する。又、ネット下端部はキャリーの底部受台９に固定し、側面は主柱に取り付け支持する。
裏面は、ある程度の荷重がかかっても荷物が垂れないように、直径０．５ｍｍ被服付ワイヤーにて約５ｃｍ角の裏面ネット３１を作成し、ネットはキャリーの上部支持バー５と下部支持バー９間に固定し、側面は主柱に取り付け支持する。
又、キャリーの使用時に取り付ける底部取付板２９は、厚さ１ｍｍ程度のプラスッチック板（縦１２ｃｍ、横３５ｃｍ）で、下部挟み金具２８を設け、キャリーの下部支持バー８に挟み取り付け又、底部挟み金具３０は、底部受台９の前面バーに挟み取り付け支持できる金具を有するものである。
これらの前面ネット２７、裏面ネット３１及び、底部取付板２８で形成される囲いの中に買物袋、軟質の買物バックを入れて運搬できるネット付携帯キャリーである。
【図面の簡単な説明】
【０００１４】
【図１】  本考案の携帯キャリーの使用時の立面図である。
【図２】  本考案の携帯キャリーの使用時の側面図である。
【図３】  本考案の携帯キャリーの伸縮折畳み時の立面図である。
【図４】  本考案の携帯キャリーの伸縮折畳み時の側面図である。
【図５】  本考案の専用買物バックの前立面図である。
【図６】  本考案の専用買物バックの右側面図である。
【図７】  本考案の専用買物バックの後立面図である。
【図８】  本考案の携帯キャリーに専用買物バックを装着した時の斜視図である。
【図９】  本考案の携帯キャリーに装着する前面ネット及び、底部取付板の斜視図である。
【図１０】  本考案のネット付携帯キャリーの使用時の斜視図である。
【符号の説明】
【０００１５】      １  持手                  ２  継手カバー        ３  主柱１段目パイプ
４  上部支持バー          ５  側部支持バー      ６  主柱２段目パイプ
７  主柱３段目パイプ      ８  下部支持バー      ９  底部受台
１０  スタンド補助足      １１  キャスター      １２  スタンド固定フック
１３  持手１              １４  上部カバー      １５  持手２
１６  前面ポッケト        １７  側面ポッケト    １８  バック底部
１９  携帯キャリー収納部  ２０  底部支持帯      ２１  上部支持帯
２２  側面バー挿入袋１    ２３  主柱支持帯      ２４  キャリー入口カバー
２５  側面バー挿入袋２    ２６  ネット縁帯      ２７  前面ネット
２８  下部挟み金具        ２９  底部取付板      ３０  底部挟み金具
３１  裏面ネット
【図１】
0003153843.tif 000003
【図２】
0003153843.tif 000004
【図３】
0003153843.tif 000005
【図４】
0003153843.tif 000006
【図５】
0003153843.tif 000007
【図６】
0003153843.tif 000008
【図７】
0003153843.tif 000009
【図８】
0003153843.tif 000010
【図９】
0003153843.tif 000011
【図１０】
0003153843.tif 000012
【手続補正書】
【提出日】平成21年6月30日(2009.6.30)
【手続補正１】
【補正対象書類名】実用新案登録請求の範囲
【補正対象項目名】全文
【補正方法】変更
【補正の内容】
【実用新案登録請求の範囲】
【請求項１】
伸縮する３段継ぎの主柱一対と、
前記主柱最上端部間に接続された中央部で、谷折れする継手を有する持手部と、
前記主柱１段目下部間に接続された中央部で、山折れする継手を有する上部支持バーと、
前記上部支持バーの主柱下部に取り付けた主柱前面に添って倒れ、直角にて止まる継手を有する側部支持バーが一対と、
前記主柱３段目下部間に接続された中央部で、山折れする継手を有する下部支持バーと、
前記下部支持バーの主柱下部に取り付けた主柱前面に添って倒れ、直角にて止まる継手を有する支持バーの一方の先端より、他方に接続する中央部で、山折れする継手を有する支持バーで構成された底部受台と、
前記底部受台の主柱下部に取り付けた主柱に対し、直角に回転する継手を有するスタンド補助足が一対と、
前記主柱最下端部に取り付けた一対のキャスターからなる伸縮折畳み携帯キャリーと、
前記キャリー用に取り付ける専用買物バックと、
前記バック上部の裏面に取り付けた上部支持帯と、
前記バック上部の側面の両側に取り付けた側面バー挿入袋と、
前記バック中間部の裏面の左右端側の上下４か所に取り付けた主柱支持帯と、
前記バック底部の下部にキャリー収納部用に取り付けた底袋と、
前記バック裏面底袋の裏面に取り付けたキャリー入口カバーと
前記バック底袋の前面の底部に取り付けた底部支持帯とからなる携帯キャリー付専用買物バックである。
【請求項２】
伸縮する３段継ぎの主柱一対と、
前記主柱最上端部間に接続された中央部で、谷折れする継手を有する持手部と、
前記主柱１段目下部間に接続された中央部で、山折れする継手を有する上部支持バーと、
前記上部支持バーの主柱下部に取り付けた主柱前面に添って倒れ、直角にて止まる継手を有する側部支持バーが一対と、
前記主柱３段目下部間に接続された中央部で、山折れする継手を有する下部支持バーと、
前記下部支持バーの主柱下部に取り付けた主柱前面に添って倒れ、直角にて止まる継手を有する支持バーの一方の先端より、他方に接続する中央部で、山折れする継手を有する支持バーで構成された底部受台と、
前記底部受台の主柱下部に取り付けた主柱に対し、直角に回転する継手を有するスタンド補助足が一対と、
前記主柱最下端部に取り付けた一対のキャスターからなる伸縮折畳み携帯キャリーと、
前記キャリーの上部は側面支持バーの両側間に固定、下部は底部受台の３方に固定され、側面は主柱が伸縮しても稼働できるように支持された前面ネットと、
前記キャリーの上部支持バーと、下部支持バー間に固定され、側面は主柱が伸縮しても稼働できるように支持された裏面ネットと、
前記キャリー使用時に、取り付けが出来る底部取付板とからなるネット付携帯キャリーである。